(57)【要約】【課題】障害が発生した装置の特定や障害が発生した要因の特定を、容易にすることが目的とされる。【解決手段】生産ライン管理装置８は、物品を袋詰めする包装装置と、包装装置に物品を供給する供給装置とを少なくとも含む生産ラインを管理する装置であって、表示部８６を備える。表示部８６は、生産ライン全体の生産状況を表示する画面８６１を有し、生産ライン全体の生産状況を表示するのと同じ画面８６１に、生産ラインに含まれる各装置の生産状況をも表示する。【選択図】図６
2009059297.tif 000002
【特許請求の範囲】
【請求項１】
物品を袋詰めする包装装置と、前記包装装置に前記物品を供給する供給装置とを少なくとも含む生産ラインを管理する装置であって、
前記生産ライン全体の生産状況を表示する画面を有し、前記生産ライン全体の前記生産状況を表示するのと同じ前記画面に、前記生産ラインに含まれる各装置の生産状況をも表示する表示部
を備える、生産ライン管理装置。
【請求項２】
前記表示部は、単位時間あたりの前記物品の生産量の減退に係る障害、及び前記生産ラインの停滞に係る障害のいずれか少なくとも一方を、前記生産ライン全体の前記生産状況を表示するのと同じ前記画面に表示する、
請求項１記載の生産ライン管理装置。
【請求項３】
前記表示部は、前記障害の要因を、前記生産ライン全体の前記生産状況を表示するのと同じ前記画面に表示する、
請求項２記載の生産ライン管理装置。
【請求項４】
前記表示部は、前記生産ラインが停止した時間を、前記生産ライン全体の前記生産状況を表示するのと同じ前記画面に表示する、
請求項１乃至請求項３のいずれか一つに記載の生産ライン管理装置。
【請求項５】
前記表示部は、前記生産ラインでの前記物品の生産量の目標値、及び前記目標値で生産したときの前記生産量のいずれか少なくとも一方を、前記生産ライン全体の前記生産状況を表示するのと同じ前記画面に表示する、
請求項１乃至請求項４のいずれか一つに記載の生産ライン管理装置。
【発明の詳細な説明】
【技術分野】
【０００１】
本発明は、生産ラインを管理する装置に関し、特に物品の生産及び袋詰めを少なくとも行う生産ラインの管理に関する。
【背景技術】
【０００２】
従来から、スナック菓子やキャンディなどの物品を、所定の重量または個数に小分けして、袋に詰める生産ラインの管理に関する技術が提案されている。具体的には、金属検出器や、重量チェッカ、シールチェッカなどを含む検査ラインにおいて、袋詰めされた物品に不良がないかどうかを検査する。検査ラインで不良と判定されたものは、生産ラインから取り除かれる。よって、出荷用の箱には、良品のものだけが詰め込まれる。
【０００３】
袋に詰める物品の種類や内容量を変更する場合には、生産ラインに含まれる各装置の運転条件を変更する必要がある。生産ライン全体で見たときの最適の条件は、各装置を調整しながら求めていく必要がある。しかし、生産ラインでは各装置が互いに連係しているため、各装置を個別に調節したのでは最適な条件が得にくい。
【０００４】
また、検査ラインで不良品を取り除くことができても、生産ラインにおいて障害が発生した装置を特定することや、障害が発生した要因を特定することは困難であった。
【０００５】
そこで、生産ラインの処理速度や歩留率などの処理結果を監視しながら、生産ライン全体の生産性を高める技術が提案されている。具体的には、生産ライン全体で見たときの処理結果、及び生産ラインに含まれる各装置での物品の処理結果を記録する。そして、処理結果から、障害が発生した装置や、障害が発生した要因を特定する。かかる技術は、例えば以下に示す特許文献１に開示されている。
【特許文献１】特開平９−３０１３２７号公報
【発明の開示】
【発明が解決しようとする課題】
【０００６】
しかし、特許文献１の技術では、障害が発生した装置や障害が発生した要因を、処理結果から特定するのは生産ラインの管理人である。このため、同じ処理結果であっても管理人が異なれば、その処理結果から特定される装置や要因も異なるおそれがあり、延いては生産ライン全体の生産性に影響するおそれがある。
【０００７】
本発明は上述した事情に鑑みて成されたものであり、障害が発生した装置の特定や障害が発生した要因の特定を、容易にすることが目的とされる。
【課題を解決するための手段】
【０００８】
第１の発明にかかる生産ライン管理装置は、物品を袋詰めする包装装置と、包装装置に物品を供給する供給装置とを少なくとも含む生産ラインを管理する装置であって、表示部を備える。表示部は、生産ライン全体の生産状況を表示する画面を有し、生産ライン全体の生産状況を表示するのと同じ画面に、生産ラインに含まれる各装置の生産状況をも表示する。
【０００９】
第１の発明にかかる生産ライン管理装置によれば、同じ画面に、生産ライン全体の生産状況と各装置の生産状況とを表示するので、生産ラインの管理者は、一つ画面を見るだけで、障害が発生した装置や障害が発生した要因を特定することができる。
【００１０】
第２の発明にかかる生産ライン管理装置は、第１の発明にかかる生産ライン管理装置であって、表示部は、単位時間あたりの物品の生産量の減退に係る障害、及び生産ラインの停滞に係る障害のいずれか少なくとも一方を、生産ライン全体の生産状況を表示するのと同じ画面に表示する。
【００１１】
第２の発明にかかる生産ライン管理装置によれば、同じ画面に、生産量の減退や生産ラインの停滞に係る障害も表示されるので、生産ラインの管理者に障害を認識させやすい。よって、障害が取り除かれるまでの時間を短縮することができる。
【００１２】
第３の発明にかかる生産ライン管理装置は、第２の発明にかかる生産ライン管理装置であって、表示部は、障害の要因を、生産ライン全体の生産状況を表示するのと同じ画面に表示する。
【００１３】
第３の発明にかかる生産ライン管理装置によれば、同じ画面に、障害の要因も表示されるので、生産ラインの管理者に障害の要因を認識させやすい。よって、障害が取り除かれるまでの時間を、より短縮することができる。
【００１４】
第４の発明にかかる生産ライン管理装置は、第１乃至第３の発明のいずれか一つにかかる生産ライン管理装置であって、表示部は、生産ラインが停止した時間を、生産ライン全体の生産状況を表示するのと同じ画面に表示する。
【００１５】
第４の発明にかかる生産ライン管理装置によれば、同じ画面に、生産ラインが停止した時間が表示されるので、生産ラインの管理者は、停止した時間を認識することができる。よって、物品の生産量が目標値に至る時間を見積もることができる。
【００１６】
第５の発明にかかる生産ライン管理装置は、第１乃至第４の発明のいずれか一つにかかる生産ライン管理装置であって、表示部は、生産ラインでの物品の生産量の目標値、及びその目標値で生産したときの生産量のいずれか少なくとも一方を、生産ライン全体の生産状況を表示するのと同じ画面に表示する。
【００１７】
第５の発明にかかる生産ライン管理装置によれば、同じ画面に、生産量やその目標値が表示されるので、生産ライン全体の生産状況が認識しやすい。
【発明の効果】
【００１８】
本発明に係る生産ライン管理装置によれば、同じ画面に、生産ライン全体の生産状況と各装置の生産状況とを表示するので、生産ラインの管理者は、一つ画面を見るだけで、障害が発生した装置や障害が発生した要因を特定することができる。
【発明を実施するための最良の形態】
【００１９】
１．生産ライン
＜生産ラインの概要＞
生産ラインでは、スナック菓子やキャンディなどの物品を生産し、所定の重量または個数に小分けして、袋に詰める。具体的に図１を用いて、生産ラインについて説明する。
【００２０】
図１は、後述する生産ライン管理装置で管理される生産ラインを概念的に示す図である。図２は、図１に示される生産ラインをブロック図で示す。生産ラインは、供給装置１、包装装置２、検査ライン３、振分装置４、箱詰装置５、及びケースチェッカ６を含む。以下、それぞれの装置について詳細に説明する。
【００２１】
＜供給装置＞
供給装置１は、生産した物品を包装装置２に供給する装置であって、生産装置１１と、計量機１２とを含む。
【００２２】
生産装置１１は、袋に詰める物品を生産する。生産装置１１には、物品を油で揚げるフライヤや、物品に味付けを行う味付け装置などが含まれる。
【００２３】
味付け装置による物品への味付けには、味材が用いられる。味材は袋に詰められており、袋には、味材に関する情報を含んだ二次元バーコードが付されている。そして、二次元バーコードを読み取ることで、味材の情報を得ることができる。
【００２４】
ある生産ラインで味材を用いる場合、その味材について二次元バーコードから読み取った情報と、その生産ラインで用いるべき味材の情報として予め設定されたものとの照合を行う。そして、照合の結果、情報が一致する場合には、その味材が物品に対して投入される。例えば、味材投入用の扉が設けられており、情報が一致した場合のみ、扉が開けられる。
【００２５】
二次元バーコードで味材の情報を管理することで、味材の入出庫を管理したり、味材の誤投入を防止したりすることができる。
【００２６】
計量機１２は、生産装置１１で生産された物品を、所定量だけ量り取る。図１では、計量機１２に、計量を自動で行う自動計量機が採用されている。
【００２７】
図３は、自動計量機を概念的に示す図である。自動計量機は、分散テーブル１２１、振動フィーダ１２２、プールホッパ１２３、計量ホッパ１２４、及び加振器１２５を備える。なお、図３では、物品を符号Ｐで示し、物品の流れを実線矢印で示している。
【００２８】
分散テーブル１２１は、傘状を呈し、傘の先を上に向けて配設されている。分散テーブル１２１は、中心付近が加振器１２５によって支持されており、加振器１２５の駆動によって振動する。これにより、分散テーブル１２１の上面に載せられた物品は、放射状に分散する。
【００２９】
振動フィーダ１２２は、分散テーブル１２１の周りに複数、配置されている。分散テーブル１２１で分散された物品は、振動フィーダ１２２に載せられる。そして、振動フィーダ１２２上の物品は、振動フィーダ１２２の振動によってプールホッパ１２３の方へと移動する。
【００３０】
プールホッパ１２３は複数あって、振動フィーダ１２２のそれぞれに対応して一つずつ配設されている。プールホッパ１２３には、対応する振動フィーダ１２２から物品が少量ずつ投入される。そして、プールホッパ１２３は、物品を一時的に貯留し、これを計量ホッパ１２４に投入する。
【００３１】
計量ホッパ１２４は複数あって、プールホッパ１２３のそれぞれに対応して一つずつ配設されている。計量ホッパ１２４は、対応するプールホッパ１２３から投入された物品の重量を測定する。
【００３２】
物品の総重量が所定値になるように、複数の計量ホッパ１２４のそれぞれの測定値（物品の重量）を、選択して組み合わせる。そして、選択された測定値を示している計量ホッパ１２４からのみ、物品を排出して、これらを集合させる。なお、組み合わせの決定は、例えば組み合わせ演算によって行うことができる。
【００３３】
＜包装装置＞
包装装置２は、計量機１２で所定量だけ量り取られた物品を、包材を用いて袋詰めする。
【００３４】
図４は、包装装置２を概念的に示す図である。包装装置２は、フィルムロール２１と、包装部２２とを備える。
【００３５】
フィルムロール２１には、包材として用いられるシート状のフィルムＦが巻かれており、フィルムＦを繰り出す。フィルムロール２１から繰り出されたフィルムＦは、ダンサーローラなどを介しながら包装装置２の上側を通って、包装部２２へと搬送される。ダンサーローラは、フィルムＦの張力を所定の範囲で保つことで、搬送中のフィルムＦの緩みや蛇行を防止する。
【００３６】
図５は、包装部２２を概念的に示す図である。包装部２２は、成形機構２２１、搬送機構２２２、縦シール機構２２３、横シール機構２２４を備える。
【００３７】
成形機構２２１は、フィルムロール２１から搬送されたフィルムＦを筒状に丸める。搬送機構２２２は、成形機構２２１で丸められた筒状のフィルムＦを下側へと搬送する。
【００３８】
縦シール機構２２３は、丸められたフィルムＦの重なり部分Ｆ２を、熱によって縦方向にシールする。ここで、縦方向とは、フィルムＦが搬送される方向をいう。
【００３９】
横シール機構２２４は、成形機構２２１の下側に配置されており、丸められたフィールＦを横方向にシールして、物品を詰めた状態で袋Ｂの上下を封止する。そして、カッターによって、袋ＢをフィルムＦから切り離す。
【００４０】
＜検査ライン＞
検査ライン３は、包装装置２で包装された物品が良品か否かを判定する。具体的に検査ライン３は、異物検出装置３１、重量チェッカ３２、及びシールチェッカ３３を含み（図２）、これらで包装された物品が良品か否かを判定する。なお以下では、検査ライン３で良品でないと判定された物品を、不良品という。
【００４１】
異物検出装置３１は、包装装置２で包装された物品に、金属などの異物が混入していないかどうかを検出する。異物検出装置３１には、金属の混入を検出する金属検出器や、金属だけでなく非金属の混入をも検出できるＸ線異物検出装置などが採用できる。
【００４２】
重量チェッカ３２は、包装された物品の重量を測定し、その重量が所定の範囲内にあるかどうかをチェックする。
【００４３】
シールチェッカ３３は、袋Ｂの重なり部分Ｆ２のシールの不良、及び袋Ｂの上下の封止（シール）の不良を検出する。
【００４４】
＜振分装置＞
振分装置４は、検査ライン３において不良品であると判定された物品を、生産ラインから除去する。
【００４５】
具体的には振分装置４は、異物検出装置３１で異物が検出された不良品、重量チェッカ３２で重量が所定の範囲内にないと判定された不良品、及びシールチェッカ３３でシールの不良が検出された不良品を、それぞれ生産ラインから除去する。
【００４６】
＜箱詰装置及びケースチェッカ＞
箱詰装置５は、物品が詰められた袋Ｂを所定数だけ箱に詰めて、封緘する。箱詰装置５は、箱の組み立てを行うものであっても良い。
【００４７】
ケースチェッカ６は、封緘された箱の重量を測定し、その重量が所定の範囲内にあるかどうかをチェックする。重量が所定の範囲内にないと判定された箱は、生産ラインから除去される。
【００４８】
２．生産ライン管理装置
＜生産ライン管理装置の概要＞
図６は、生産ライン管理装置８を概念的に示す図である。生産ライン管理装置８は、上述した生産ラインを管理する装置であって、制御部８１、通信部８２、記憶部８３、障害特定部８４、要因特定部８５、及び表示部８６を備える。
【００４９】
生産ライン管理装置８は、生産ラインに含まれる各装置、すなわち供給装置１、包装装置２、異物検出装置３１、重量チェッカ３２、シールチェッカ３３、振分装置４、箱詰装置５、及びケースチェッカ６のそれぞれに、通信回線１００を介して接続されている（図２）。これにより、生産ライン管理装置８は、生産ラインに含まれる各装置を通信によって管理することができる。
【００５０】
以下では、生産ライン管理装置８の各構成要素について説明する。
【００５１】
＜制御部＞
制御部８１は、通信部８２、記憶部８３、障害特定部８４、要因特定部８５、及び表示部８６のそれぞれを制御する。
【００５２】
＜通信部＞
通信部８２は、供給装置１、包装装置２、異物検出装置３１、重量チェッカ３２、シールチェッカ３３、振分装置４、箱詰装置５、及びケースチェッカ６のそれぞれと、通信回線１００を介して接続されており、各装置と通信可能である。
【００５３】
具体的には、通信部８２は、各装置からの送信された情報を受信する。かかる情報には、各装置の生産状況が含まれる。
【００５４】
通信部８２は、生産ライン管理装置８からの指令を各装置に送信することもできる。
【００５５】
通信部８２は、所定の時間間隔で、生産ラインに含まれる各装置から情報を受信する。例えば、数秒ごとに各装置からの情報を通信部８２が受信することで、生産ライン管理装置８は、リアルタイムに各装置の情報を取得することができる。
【００５６】
＜記憶部＞
記憶部８３は、通信部８２で受信された各装置の情報を記憶する。所定の時間間隔で、それぞれの時間における各装置の情報を記憶することで、各装置の情報の履歴が記憶部８３に残る。
【００５７】
記憶部８３は、生産ライン管理装置８で処理された結果、例えば生産ライン管理装置８から各装置に送信される指令を、記憶することもできる。また、後述する障害特定部８４及び要因特定部８５で特定された結果も記憶することができる。
【００５８】
＜障害特定部＞
生産ラインにおいて、ある障害が生じたために、単位時間あたりの物品の生産量が減退する場合や、生産ラインが停滞する場合がある。物品の生産量が減退する場合としては、生産ラインに含まれる装置の一つで、通路に物品がこびり付いて、物品の流れが妨げられた場合（生産量減退の例１）などが挙げられる。生産ラインが停滞した場合としては、生産ラインに含まれる装置の一つが故障した場合（生産ライン停滞の例１）や、ある装置で物品の詰まりが生じた場合（生産ライン停滞の例２）などが挙げられる。
【００５９】
図７及び図８は、物品の生産量の累計の時間変化をグラフで示した図であり、図７は生産量が減退した場合を、図８は生産ラインが停滞した場合を、それぞれ示す。具体的に図７では、時間ｔ１から時間ｔ２までの間で生産量が減退しており、グラフの傾き、すなわち生産量の累計の時間に対する変化量が、小さくなっている。図８では、時間ｔ３から時間ｔ４までの間で生産ラインが停滞しており、グラフの傾きが０になっている。
【００６０】
障害特定部８４は、単位時間当たりの物品の生産量が減退した場合や、生産ラインが停滞した場合に、各装置の情報に基づいて、どの装置に障害が発生したかを特定する。
【００６１】
上述した生産量減退の例１の場合には、通路に物品がこびり付いている装置がどれかを特定する。上述した生産ライン停滞の例１の場合の場合には、故障した装置がどれかを特定する。生産ライン停滞の例２の場合には、物品の詰まりが生じた装置がどれかを特定する。
【００６２】
＜要因特定部＞
要因特定部８５は、単位時間当たりの物品の生産量が減退した場合や、生産ラインが停滞した場合に、各装置の情報に基づいて、障害の発生した要因を特定する。
【００６３】
上述した生産量減退の例１の場合には、通路に物品がこびり付いたことを、障害が発生した要因として特定する。上述した生産ライン停滞の例１の場合の場合には、装置が故障した要因を、障害が発生した要因として特定する。生産ライン停滞の例２の場合には、物品が詰まったことを、障害が発生した要因として特定する。
【００６４】
＜表示部＞
表示部８６は、画面８６１を有する。表示部８６は、同じ画面８６１に、生産ライン全体の情報と、生産ラインに含まれる各装置の情報とを表示する。なお、生産ライン全体の情報には、生産ライン全体の生産状況が含まれる。
【００６５】
具体的には、制御部８１は、生産ラインに含まれる各装置の情報を記憶部８３から取得して、これを表示部８６の画面８６１に表示する。例えば、通信部８２で受信した各装置の情報を直接、画面８６１に表示させても良い。
【００６６】
さらに、制御部８１は、生産ラインに含まれる各装置の情報に基づいて、生産ライン全体の情報を計算し、生産ライン全体の情報を画面８６１に表示する。
【００６７】
図９は、生産ラインが停滞した場合について、表示部８６の画面８６１に表示される画像を例示した図である。画面８６１には、生産ライン全体、供給装置１及び包装装置２についての、単位時間当たりの物品の生産量の時間変化が、それぞれグラフ８６１ａ〜８６１ｂで表示されている。
【００６８】
図９に示される画面８６１を見ることで、生産ライン全体についてのグラフ８６１ａから、生産ラインが１２：００から１４：００まで停滞していることがわかる。そして、供給装置１についてのグラフ８６１ｂと、包装装置２についてのグラフ８６１ｃとから、生産ラインの停滞が包装装置２で生じたことがわかる。なぜなら、生産ラインが停滞した１２：００から１４：００までの間において、供給装置１での生産量は減少していないが、包装装置２での生産量が０になっているからである。
【００６９】
上述したように同じ画面８６１に、生産ライン全体の情報と各装置の情報とを表示するので、生産ラインの管理者が一つの画面８６１を見るだけで、障害が発生した装置や障害が発生した要因を特定することができる。
【００７０】
表示部８６は、生産ライン全体の情報を表示するのと同じ画面８６１に、障害特定部８４で特定された障害、及び要因特定部８５で特定された障害の要因をも、表示することができる。
【００７１】
具体的には、制御部８１は、単位時間当たりの物品の生産量が減退した場合や、生産ラインが停滞した場合に、障害特定部８４及び要因特定部８５に対して以下の制御を行う。
【００７２】
すなわち、制御部８１は、障害特定部８４及び要因特定部８５に対して、生産ラインに含まれる各装置の情報の履歴を記憶部８３から取得させる。そして、各装置の情報の履歴に基づいて、障害を障害特定部８４に特定させ、障害の要因を要因特定部８５に特定させる。なお、要因特定部８５には、各装置の情報の履歴だけでなく、障害特定部８４で特定された障害にも基づいて、要因を特定させても良い。
【００７３】
同じ画面８６１に、生産量の減退や生産ラインの停滞に係る障害が表示されるので、生産ラインの管理者に、障害を認識させやすい。よって、障害が取り除かれるまでの時間を短縮することができる。
【００７４】
さらに、同じ画面８６１に障害の要因が表示されるので、生産ラインの管理者に障害の要因を認識させやすい。よって、障害が取り除かれまるまでの時間を、より短縮することができる。
【００７５】
ある障害によって生産ラインが停止した場合には、表示部８６は、生産ライン全体の情報を表示するのと同じ画面８６１に、生産ラインが停止した時間を表示する。例えば、図８に示されるように時間ｔ３から時間ｔ４まで生産ラインが停滞した場合には、生産ラインが停止した時間として時間（ｔ４−ｔ３）が、画面８６１に表示される。
【００７６】
同じ画面８６１に、生産ラインが停止した時間が表示されるので、生産ラインの管理者は、停止した時間を認識することができる。よって、物品の生産量が目標値に至る時間を見積もることができる。
【００７７】
生産ラインで物品を生産する場合、生産ラインでの物品の生産量の目標値が設定される。そこで、表示部８６は、生産ライン全体の情報を表示するのと同じ画面８６１に、生産量の目標値を表示する。
【００７８】
しかも表示部８６は、上記目標値で生産したときの生産量をリアルタイムに、生産ライン全体の情報を表示するのと同じ画面８６１に表示する。なお、目標値及び生産量のいずれか一方のみが画面８６１に表示されても良い。
【００７９】
同じ画面８６１に生産量やその目標値が表示されるので、生産ライン全体の生産状況が認識しやすい。
【図面の簡単な説明】
【００８０】
【図１】生産ライン管理装置で管理される生産ラインを概念的に示す図である。
【図２】図１に示される生産ラインを示すブロック図である。
【図３】自動計量機を概念的に示す図である。
【図４】包装装置を概念的に示す図である。
【図５】包装部を概念的に示す図である。
【図６】生産ライン管理装置を概念的に示すブロック図である。
【図７】物品の生産量の累計の時間変化をグラフで示した図である。
【図８】物品の生産量の累計の時間変化をグラフで示した図である。
【図９】表示部の画面を例示する図である。
【符号の説明】
【００８１】
１  供給装置
２  包装装置
８  生産ライン管理装置
８６  表示部
８６１  画面
Ｐ  物品
【図１】
2009059297.tif 000003
【図２】
2009059297.tif 000004
【図３】
2009059297.tif 000005
【図４】
2009059297.tif 000006
【図５】
2009059297.tif 000007
【図６】
2009059297.tif 000008
【図７】
2009059297.tif 000009
【図８】
2009059297.tif 000010
【図９】
2009059297.tif 000011